(57)【特許請求の範囲】
【請求項１】
外部接続リード線を装着したインバータ点灯装置を筒型ケースに収納し、このケースの両端にプラスチック成形品で構成された側板を装着し、この側板に設けた貫通孔に外部接続リード線を通し、この側板の外側に樹脂を充填して防水機能を持たせた照明装置であって、前記側板は外部接続リード線を通す貫通孔となる未貫通の薄肉部分を複数有しており、各薄肉部分の周囲に徐々に肉厚が増していくテーパー部分を有していることを特徴とする照明装置。
【請求項２】
側板の周縁部には筒型ケースとの密着性を良くするためのテーパー部を設けたことを特徴とする請求項１記載の照明装置。
【請求項３】
側板には筒型ケースの内部に収納しているインバータ点灯装置を固定するための突起を設けたことを特徴とする請求項１または２記載の照明装置。
【請求項４】
請求項２において、側板の周縁部に設けられたテーパー部は、側板本体の厚さをＨ、テーパー部の先端部の厚みをａ、テーパー部の基端部の厚みをｃ、側板挿入方向についてのテーパー部の長さをｈ、側板挿入方向と直交する方向についてのテーパー部の長さをｂとすると、ｂ≧ｃ≧ａ、ａ＜ｃ、Ｈ≧ｈとしたことを特徴とする照明装置。
【請求項５】
側板の貫通孔は、電源側外部接続リード線と負荷側外部接続リード線を筒型ケースの片側から一括して出す第１の構成と、電源側外部接続リード線と一部の負荷側外部接続リード線を筒型ケースの片側から出し、残りの負荷側外部接続リード線を筒型ケースの反対側から出す第２の構成と、電源側外部接続リード線を筒型ケースの片側から出し、負荷側外部接続リード線を筒型ケースの反対側から出す第３の構成と、電源側外部接続リード線と調光用外部接続リード線を筒型ケースの片側から出し、負荷側外部接続リード線を筒型ケースの反対側から出す第４の構成とのいずれかを選択できるように片側に各々８個ずつ設けられていることを特徴とする請求項１〜４のいずれかに記載の照明装置。
【請求項６】
外部接続リード線両端の芯線ははんだ処理を行い、かつ、この芯線と外皮口部の境界部分に樹脂を塗布し、外部接続リード線を介する空気の流通を抑えたことを特徴とする請求項１〜５のいずれかに記載の照明装置。
【発明の詳細な説明】
【０００１】
【発明の属する技術分野】
本発明は防水機能を有する照明装置に関するものである。
【０００２】
【従来の技術】
（従来例１）
従来の防水タイプの電磁式点灯装置の概略構成を図１８に示す。また、その詳細な構成を図１９に示す。この従来例では、外部接続リード線７を片側に配置した電磁式点灯装置本体２０を筒型ケース１に収納し、このケース１の片側に金属の側板Ａを装着し、側板Ａの内側とケース開口部のコンパウンド４０の上面に防水樹脂４を充填している。電磁式点灯装置本体２０の周辺は、コンパウンド４０でモールドされている。
【０００３】
（従来例２）
従来の防水タイプのインバータ点灯装置の概略構成を図２０に示す。また、その詳細な構成を図２１に示す。この従来例では、外部接続リード線５，６を両側に配置したインバータ点灯装置本体２を金属製の筒型ケース１に収納し、この筒型ケース１の両側に鉄板入りのゴムで構成された側板Ｂ、Ｃを装着し、これら側板Ｂ、Ｃの外側に防水樹脂４を充填している。電子式点灯装置本体は図３の如くプリント基板・電子部品をアルミケース（蓋・底板）に収納し、かつ周辺は空気層で覆われている。
【０００４】
この側板Ｂ、Ｃの構造は、図２２に示すように、鉄板をゴム材によりモールドし、ゴム材部分に外部接続リード線の貫通孔（外部口出線孔）を設けている。この点灯装置の組立て時には、側板Ｃ側に防水樹脂を充填して、樹脂を硬化する。次に側板Ｂ側に樹脂を充填して、樹脂を硬化する。この際、熱硬化の処理を行う為、空気層が密閉された状態で熱せられ、膨張して内圧が上がり、側板Ｂがゴム材だけでは変形して上部へ押し上げられ、そのため防水樹脂も吹き上げられ、防水構造が破壊される。この側板の変形を防ぐために鉄板を入れている。
【０００５】
【発明が解決しようとする課題】
（従来例１の問題点）
従来例１では、コンパウンドを充填しないと、点灯装置本体の放熱が悪く、点灯装置本体の温度上昇が高くなり、形状が大きくなる。また、点灯装置本体の振動を抑えるために、コンパウンド充填は不可欠になる。このコンパウンド充填により点灯装置の重量が重くなり、施工面で不利な条件になってくる。また、コンパウンドを充填するため、熱硬化工程が３回必要となり、作業性が悪くなる欠点がある。つまり、熱硬化工程は、コンパウンドの硬化、側板Ａ側の防水樹脂の硬化、コンパウンドや上面の防水樹脂の硬化、という３回の工程が必要となる。また、電磁式のため、電力消費効率が悪く、省エネルギー面からみて不利である。
【０００６】
（従来例２の問題点）
従来例１では、ゴム材と鉄板の複合成形のため、側板Ｂ、Ｃのコストが高い。また、金属ケース内に接する側板部分がゴム材であり、側板Ｂ、Ｃを筒型ケースに挿入する際、金属ケースとゴム材の摩擦が大きく、挿入作業が困難である。さらに、側板Ｂ、Ｃを金属ケースに挿入し、ケース内側に設けた突起物により側板の位置決めを行うが、この際、側板外周部分がゴム材で軟らかく図２３に示すように変形することから、固定作業が困難である。また、バネ１４を装着して電子式点灯装置本体を金属ケースへ挿入するため、筒型ケース内面とバネとの摩擦によって挿入作業が困難であり、作業性が悪い。
【０００７】
以上のように、従来例１の防水タイプの電磁式点灯装置は、重量が重い、作業性が悪い、電力消費効率が悪いという欠点があり、この欠点を従来例２の防水タイプのインバータ点灯装置で補っていた。しかし、従来例２の防水タイプのインバータ点灯装置では、作業性の悪さ、部品のコスト高等の欠点があった。
【０００８】
本発明はこのような点に鑑みてなされたものであり、インバータ点灯装置を用いた防水タイプの照明装置において、側板にプラスチック成形品を使用して、その形状・構成に工夫を凝らすことにより、組み立て時の作業性を改善すると共に、部品のコスト低減を実現することを課題とする。
【０００９】
【課題を解決するための手段】
本発明によれば、上記の課題を解決するために、図１に示すように、外部接続リード線５，６を装着したインバータ点灯装置２を筒型ケース１に収納し、このケース１の両端にプラスチック成形品で構成された側板３を装着し、この側板３に設けた貫通孔３２に外部接続リード線５，６を通し、この側板３の外側に樹脂４を充填して防水機能を持たせた照明装置であって、図６に示すように、前記側板３は外部接続リード線を通す貫通孔３２となる未貫通の薄肉部分３２ａを複数有しており、各薄肉部分３２ａの周囲に徐々に肉厚が増していくテーパー部分３２ｂを有していることを特徴とするものである。
【００１０】
【発明の実施の形態】
図１は本発明の防水タイプのインバータ点灯装置の概略構成を示す図である。図中、１は筒型ケース、２はインバータ点灯装置本体、３は側板、４は防水樹脂、５は電源側外部接続リード線、６は負荷側外部接続リード線である。
【００１１】
まず、筒型ケース１は両端が開放された金属製のケースであり、例えばアルミ材よりなり、これを一端開放側から見ると、例えば図２のような外観を有している。筒型ケース１の外面には放熱フィン１１が設けられている。また、筒型ケース１の内側面には、側板位置決め用の突起物１２が設けられている。
【００１２】
次に、インバータ点灯装置本体２は、図３に示すように、プリント基板２１に多数の電子部品が実装された安定器回路を底板２２と蓋２３で覆ったものであり、長手方向の両端には外部接続リード線５，６を接続するための端子台２４が設けられている。なお、蓋２３の上面にはラベル２５が貼着されている。
【００１３】
次に、側板３はプラスチック成形品よりなり、図４に示すように、側板本体３は筒型ケース１の内断面に沿った形状を有しており、周縁部には筒型ケース１との密着性を良くするためのテーパー部３１が設けられている。また、中央部には外部接続リード線５，６を貫通させるための貫通孔３２が設けられている。さらに、内側面下端近傍には点灯装置固定用の突起物３３が設けられている。この突起物３３はインバータ点灯装置本体２の底板２２を押さえる役割を有しており、これにより従来のような鉄板のバネは不要となるものである。
【００１４】
ここで、側板３のテーパー部３１について説明する。図５は側板３の周縁部に設けられたテーパー部３１の好ましい設計例を示している。図中、Ｈは側板本体３の厚さ、ａはテーパー部３１の先端部の厚み、ｃはテーパー部３１の基端部の厚み、ｈは側板挿入方向についてのテーパー部３１の長さ、ｂは側板挿入方向と直交する方向についてのテーパー部３１の長さ、Ｒはテーパー部３１の基端部の内側の曲率半径である。筒型ケース１の内面との密着性を確保しつつ、側板３の挿入作業を容易にするための条件として、ｂ≧ｃ≧ａ、ａ＜ｃ、Ｈ≧ｈとする。また、折れにくい条件としてＲ≧０．５とした。
【００１５】
次に、側板３の貫通孔３２について説明する。貫通孔３２は図６（ａ）〜（ｃ）に示すように成形当初は未貫通であって中央部に０．５ｍｍ以下の薄膜部分３２ａを有している。また、この薄肉部分３２ａの周囲には徐々に肉厚が増していくテーパー部分３２ｂがあり、図７に示すように、外部接続リード線を貫通させると、中央部の薄膜部分３２ａが破れて周辺部のテーパー部分３２ｂが残り、外部接続リード線の挿入方向と逆方向に変形する。その結果、防水樹脂４を充填したときにインバータ点灯装置２内部への樹脂の侵入を防ぐ効果がある。また、貫通孔３２のうち外部接続リード線を貫通させていない未貫通のものには中央部に０．５ｍｍ以下の薄膜部分３２ａが残っているので、防水樹脂を充填したときにインバータ点灯装置内部への樹脂の侵入を防ぐ効果がある。
【００１６】
次に、側板３の突起物３３について説明する。図８に示すように、筒型ケース１のなかにインバータ点灯装置本体２を収納し、筒型ケース１の両端の開放部から側板３を挿入すると、側板３の周縁部に設けられたテーパー部３１が変形して筒型ケース１に収納される。そして、筒型ケース１の内面に設けられた側板位置決め用の突起物１２に側板３が当たると、側板３は位置決めされる。このとき、側板３の内側面下端近傍に設けられた点灯装置固定用の突起物３３がインバータ点灯装置本体２の底板２２を押さえる位置関係となるように寸法設計されており、インバータ点灯装置本体２の蓋２３と筒型ケース１の内面との間には、従来のように、インバータ点灯装置本体２を押さえるための鉄板のバネを設けていないが、インバータ点灯装置本体２が浮き上がることは無く、鉄板のバネは不要となる。
【００１７】
以上のように、周縁部にテーパー部３１を備え、中央部に貫通孔３２を備え、内側面下端近傍に突起物３３を備える側板３はプラスチック成形品により一体成形できるので、製造コストは低廉なものとなる。
【００１８】
図９は本実施形態の点灯装置の組み立て完了後の詳細な構成を示している。筒型ケース１の内部にはインバータ点灯装置本体２が収納され、その底板を突起物３３で押え込むように、ケース両端の開口部に側板３が挿入され、その外側に防水樹脂４が充填されている。電源側外部接続リード線５と負荷側外部接続リード線６は側板３を貫通しており、その周囲を防水樹脂４で充填されている。図１０に完成後の点灯装置の外観を示す。
【００１９】
ところで、外部接続用リード線５，６は図１１に示すように、芯線７１と外皮口部７２との間に隙間があり、この隙間を通って防水インバータ点灯装置の内部の空気と外部の空気が流通する。このように、空気が流通することにより点灯装置外部より湿った空気がインバータ点灯装置内に入り込み、防水性能を損ねることがある。このため、外部接続リード線５，６の芯線７１には予めはんだ処理を施し、この芯線７１と外皮口部７２との間には隙間を埋めるための樹脂７３を塗布している。
【００２０】
外部接続リード線５、６は、図１２に示すように、電源側外部接続リード線５ａ，５ｂと負荷側外部接続リード線６ａ〜６ｄを筒型ケース１の片側から一括して出す構成としても良いし、図１３に示すように、電源側外部接続リード線５ａ，５ｂと一部の負荷側外部接続リード線６ａ，６ｂを筒型ケース１の片側から出し、残りの負荷側外部接続リード線６ｃ，６ｄを筒型ケース１の反対側から出す構成としても良いし、図１４に示すように、電源側外部接続リード線５ａ，５ｂを筒型ケース１の片側から出し、負荷側外部接続リード線６ａ〜６ｄを筒型ケース１の反対側から出す構成としても良い。さらに、調光装置８を用いる場合には、図１５に示すように、電源側外部接続リード線５ａ，５ｂと調光用外部接続リード線９ａ，９ｂを筒型ケース１の片側から出し、負荷側外部接続リード線６ａ〜６ｄを筒型ケース１の反対側から出す構成とすれば良い。もちろん、図１６に示すように、電源側外部接続リード線５ａ，５ｂと調光用外部接続リード線９ａ，９ｂと一部の負荷側外部接続リード線６ａ，６ｂを筒型ケース１の片側から出し、残りの負荷側外部接続リード線６ｃ，６ｄを筒型ケース１の反対側から出す構成としても良いし、図１７に示すように、すべての外部接続リード線５ａ，５ｂ，９ａ，９ｂ，６ａ〜６ｄを筒型ケース１の片側から一括して出す構成としても良い。図１２〜図１７のいずれの構成も可能とするように、側板３の貫通孔３２は片側に各々８個ずつ設けられている。なお、図１２〜図１７に示す負荷１０は蛍光灯を想定しており、一部の負荷側外部接続リード線６ａ，６ｂは蛍光灯の片側のフィラメントに、残りの負荷側外部接続リード線６ｃ，６ｄは蛍光灯の他側のフィラメントに接続されるものである。
【００２１】
【発明の効果】
請求項１の発明によれば、側板の材質がプラスチック成形品のみのため、側板のコストが従来例に比べて１／１０程度になり、大幅なコスト低減が図れた。また、側板を筒型ケースに挿入し、筒型ケース内側に設けた突起物により側板の位置決めを行う場合に、側板の材質がプラスチック成形品で従来のゴム材の側板より硬いため、側板の位置決めが容易になった。
【００２２】
また、請求項２の発明によれば、側板の周縁部に設けたテーパーが筒型ケースに内側に変形しながら挿入され、筒型ケース内側と側板との摩擦が小さくなり、挿入作業が容易になる。
【００２３】
さらに、請求項３の発明によれば、側板に設けた点灯装置固定用突起物によりインバータ点灯装置の底板を押さえるようにすることで、従来のようにインバータ点灯装置を固定するための鉄板のバネが不要になり、材料コストが低減でき、また、インバータ点灯装置本体を筒型ケースへ挿入することが容易になり、作業性がアップした。この結果、当社比で生産性が約２５％アップした。具体的には従来は２００台／ｈであったものが２５０台／ｈに改善された。
【００２４】
また、請求項１の発明によれば、貫通孔に未貫通の薄肉部を設けたので、防水樹脂を充填したときにインバータ点灯装置内部への樹脂の侵入を防ぐ効果がある。
【００２５】
さらに、請求項５の発明によれば、外部接続リード線を引き出す構成を任意に選択できるように側板の貫通孔を設計したので、外部接続リード線の配線の自由度が高くなる効果がある。
【００２６】
請求項６の発明によれば、外部接続リード線の芯線と外皮口部との間の隙間を通って点灯装置外部より湿った空気がインバータ点灯装置内に入り込み防水性能を損ねることを防止できる。
【図面の簡単な説明】
【図１】本発明の一実施形態に係る照明装置の概略構成図である。
【図２】本発明の一実施形態に係る照明装置に用いる筒型ケースと側板の斜視図である。
【図３】本発明の一実施形態に係る照明装置に用いるインバータ点灯装置の詳細な構成を示す図であり、（ａ）は平面図、（ｂ）は側面図、（ｃ）は蓋を外した状態の平面図、（ｄ）は正面図である。
【図４】本発明の一実施形態に係る照明装置に用いる側板の詳細な構成を示す図であり、（ａ）は正面図、（ｂ）は側断面図である。
【図５】本発明の一実施形態に係る照明装置に用いる側板のテーパー部の好ましい設計例を説明するための要部断面図である。
【図６】本発明の一実施形態に係る照明装置に用いる側板の貫通孔の様々な形態を示す説明図である。
【図７】本発明の一実施形態に係る照明装置に用いる側板の貫通孔の作用を説明するための説明図である。
【図８】本発明の一実施形態に係る照明装置に用いる側板の点灯装置固定用突起物の作用を説明するための説明図である。
【図９】本発明の一実施形態に係る照明装置の詳細な構成を示す一部破断平面図である。
【図１０】本発明の一実施形態に係る照明装置の外観を示す図であり、（ａ）は平面図、（ｂ）は側面図である。
【図１１】本発明の他の実施形態に係る照明装置に用いるリード線の端部構成を示す斜視図である。
【図１２】本発明の照明装置における外部接続リード線の第１の配線形態を示す説明図である。
【図１３】本発明の照明装置における外部接続リード線の第２の配線形態を示す説明図である。
【図１４】本発明の照明装置における外部接続リード線の第３の配線形態を示す説明図である。
【図１５】本発明の照明装置における外部接続リード線の第４の配線形態を示す説明図である。
【図１６】本発明の照明装置における外部接続リード線の第５の配線形態を示す説明図である。
【図１７】本発明の照明装置における外部接続リード線の第６の配線形態を示す説明図である。
【図１８】従来の防水タイプの電磁式点灯装置の概略構成図である。
【図１９】従来の防水タイプの電磁式点灯装置の詳細な構成を示す図である。
【図２０】従来の防水タイプのインバータ点灯装置の概略構成図である。
【図２１】従来の防水タイプのインバータ点灯装置の詳細な構成を示す図である。
【図２２】図２１の点灯装置に用いる側板の詳細な構成を示す図であり、（ａ）は正面図、（ｂ）はそのＡ−Ａ線についての断面図である。
【図２３】従来の防水タイプのインバータ点灯装置の問題点を示す説明図である。
【符号の説明】
１  筒型ケース
２  インバータ点灯装置
３  側板
４  防水樹脂
５  電源側外部接続リード線
６  負荷側外部接続リード線
【図１】
0003807256.tif 000002
【図２】
0003807256.tif 000003
【図３】
0003807256.tif 000004
【図４】
0003807256.tif 000005
【図５】
0003807256.tif 000006
【図６】
0003807256.tif 000007
【図７】
0003807256.tif 000008
【図８】
0003807256.tif 000009
【図９】
0003807256.tif 000010
【図１０】
0003807256.tif 000011
【図１１】
0003807256.tif 000012
【図１２】
0003807256.tif 000013
【図１３】
0003807256.tif 000014
【図１４】
0003807256.tif 000015
【図１５】
0003807256.tif 000016
【図１６】
0003807256.tif 000017
【図１７】
0003807256.tif 000018
【図１８】
0003807256.tif 000019
【図１９】
0003807256.tif 000020
【図２０】
0003807256.tif 000021
【図２１】
0003807256.tif 000022
【図２２】
0003807256.tif 000023
【図２３】
0003807256.tif 000024